(57)【要約】【課題】複数の物品を収納した包装体を吊り下げた状態で物品を取り出すことができるようにする。【解決手段】互いに接合された底面パネル１２、側面パネル１４及び上面パネル１６で構成し、内部に例えば複数の使い捨ておむつ２０を並べて収容する略矩形の包装袋１０であって、包装袋１０は、その長手方向両端部に取付けた紐或いは帯び状の取手１８により前記底面パネル１２を下側にして吊り下げ可能であり、かつ、前記底面パネル１２に前記使い捨ておむつの取り出し口３０を設けた。【選択図】  図１
2006256655.tif 000002
【特許請求の範囲】
【請求項１】
内部に複数の物品を並べて収容する包装体であって、
該包装体を吊り下げ可能な取手を有し、該取手と反対側のパネル面に前記物品を取り出すための取り出し口を設けたことを特徴とする包装体。
【請求項２】
請求項１に記載された包装体において、
前記取り出し口は、前記パネル面に設けた切断線に沿って前記パネルを切断して形成したことを特徴とする包装体。
【請求項３】
請求項１に記載された包装体において、
前記パネルを端部を重ね合わせた二枚のパネルで構成し、前記取出し口が前記重ね合わせた二枚のパネル間に形成されていることを特徴とする包装体。
【請求項４】
請求項１又は２に記載された包装体において、
前記パネルに形成した前記取り出し口に、前記取出し口を開閉する蓋体を設けたことを特徴とする包装体。
【請求項５】
請求項１ないし４のいずれかに記載された包装体において、
前記上面側パネル及び／又は側面側パネルに更に物品取り出し口を設けたことを特徴とする包装体。
【請求項６】
請求項１ないし５のいずれかに記載された包装体において、
前記各パネルは柔軟なシート材料からなることを特徴とする包装体。
【請求項７】
請求項１ないし５のいずれかに記載された包装体において、
前記物品は吸収性物品であることを特徴とする包装体。
【発明の詳細な説明】
【技術分野】
【０００１】
本発明は、複数の物品を並べて収容する包装体に関するものである。
【背景技術】
【０００２】
使い捨ておむつ、生理用ナプキン、失禁ブリーフなどのように軽量で柔軟な物品は一般的に複数個をまとめて一つの包装体内に収容した状態でユーザに提供されることが多い。
このようにして提供された包装体は、ユーザの手元で容器としても使用できるよう、堆積された物品を１枚づつ取り出すための取り出し口を設けたものが知られている。
例えば、特許文献１に示す生理用ナプキンの包装体では、その上部に壁面取付孔を設けると共に、その基底に生理用ナプキンの取り出しに適した寸法の開口を設け、包装体を壁面に取り付けた上、前記開口から縦に堆積した生理用ナプキンを一つずつ取り出すようにしている（特許文献１参照）。
【０００３】
このように包装体を容器代わりに使用するものが知られているが、物品をこのように縦に堆積した場合は別として、横に並べたものでは上記従来のものでは物品を一つずつ取り出すことは困難である。
【０００４】
また、使い捨ておむつを複数収容した包装体の上面に紐などでできた取手が付されたものでは、保管上の便宜或いは探す手間を省くため等の理由で、使用時に取手を利用して適当な場所につり下げておき、その包装体を構成する上面パネルや側面パネルに形成された取り出し口から使い捨ておむつを一つずつ取り出して使用することが行われている。
この場合、高い位置に吊り下げた場合は、取り出しが不便であるため、低い位置に吊り下げるか或いは、使用時には吊り下げた状態からわざわざ外してから使い捨ておむつを取り出すため手間が掛かり、回数が多くなると厄介である。
【特許文献１】実開昭５９−１６６２６号公報
【発明の開示】
【発明が解決しようとする課題】
【０００５】
本発明は、このような従来の問題に鑑みてなされたものであって、その目的は、取手を利用して吊り下げた状態で包装体に収納した物品を取手の反対側即ちその底から容易に取り出すことができるようにすることである。
【課題を解決するための手段】
【０００６】
本発明は、内部に複数の物品を前記側面パネルと略平行に並べて収容する包装体であって、該包装体を吊り下げ可能な取手を有し、前記取手と反対側のパネルに前記物品取り出し用の取り出し口を設けたことを特徴とする。
（作用）
包装体の取手を利用して吊り下げ、底面パネルに設けた取出し口から物品を取り出すことができるようにする。包装体をポリエチレンなどの柔軟な材料で構成することで、吊り下げた状態で包装体を撓ませ、その撓んだ最下方位置に取出し口を配置することで、物品を取出し易くする。
【発明の効果】
【０００７】
本発明によれば、包装体をその取手を利用して吊り下げておくことで中に収納された物品を常に取り出し易い状態で保管することができる。
また、吊り下げ位置を適当な高さにすることで、楽な姿勢で物品を取り出すことができるだけではなく、紙おむつ等の比較的嵩の大きい包装体は大きな収納場所を必要とするので不便であり、吊り下げて置くことで省スペース化できる。
また、包装体を柔軟な材料で構成することで、吊り下げたときの撓みを利用して、取出し口をその撓んだ最下方位置に合わせて配置することで、物品を取り出した後、次の物品が自重で取り出し口に移動し易いから、最後の物品に至るまで容易に取り出すことができる。
【発明を実施するための最良の形態】
【０００８】
本発明の包装体の一実施形態を図面を参照して説明する。
図１Ａ、１Ｂは、第１の取出し口を備えた包装体の一実施形態である包装袋の正面図である。
【０００９】
包装袋１０は、底面パネル１２，側面パネル１４，上面パネル１６及び長手方向両端側の側面パネル１４の上端部に取り付けられた取手１８とからなっている。ここで、各パネルは一体に形成されて略横長の箱状の形状をなし、例えば、紙、合成樹脂を含浸させた紙或いはポリエチレンシートのような合成樹脂製の柔軟な材料で構成されている。取手１８は、包装袋１０を吊り下げたときに切れたり伸張したりしない引張強度を有するパネルと同様の材料を含む任意の材料でひも又は帯状に形成されている。
また、複数の物品としての使い捨ておむつ２０は、非圧縮状態或いは圧縮状態で前記長手方向両端側の側面パネル１４と略平行に並べて配置されている。
【００１０】
包装袋１０の底パネル１２の長手方向の中央部には、使い捨ておむつ２０を取り出すための取出し口３０を設けることができる。この取出し口３０は、本実施形態では図１に示すように、底面パネル１２に形成されたミシン目３２が形成されており、使用時にはこのミシン目３２を切り開くことにより、図１Ｂに示すように、取出し口３０を形成することができ、そこから使い捨ておむつ２０を一つずつ取り出す。
【００１１】
包装袋１０はその取手１８を利用して室内或いはベッド際など、使い捨ておむつの取り替え場所の近傍に設けた鈎（フック）や突起に吊り下げる。この包装袋１０を吊り下げると、重心となる長手方向中央部が下降した図１Ｂに示すように下に湾曲した形状となり、その最下方位置に取出し口３０を設ける。その状態で取り出し口３０から使い捨ておむつ２０を取り出すと、最初の数枚については、その取り出しに伴ってその両側の使い捨ておむつ２０がそれぞれ取り出し口３０に向かって移動し、取出し口３０を挟んで互いに接触しその摩擦力等により落下しない。特に、使い捨ておむつ２０を圧縮して収容した場合は、使い捨ておむつ同士の摩擦が大きいためより落下し難い。また、使い捨ておむつ２０の残量が少なくなると、横に倒れた状態になるので前記取出し口３０から落下することはない。
【００１２】
しかし、底面パネル１２をミシン目３２に沿って押し破って取出し口３０を形成する際に、誤って底面パネル１２を破り過ぎるなどして必要以上に取り出し口３０が大きくなった場合、そこからおむつが落下することも考えられる。そこで、次に、おむつ２０の落下を完全に防止できる取出し口３０の構成について説明する。
【００１３】
図２は、落下防止を図った取出し口の構造を示す包装袋１０の底面図である。
この実施形態では、取出し口３０は予め包装袋１０の底面パネル１２を予めカットして形成しておく。このため使用者が、使い捨ておむつ２０の使用に際して取出し口３０を切りすぎる等の虞は完全に解消できる。この取出し口３０は、前記第１の実施形態と相違して例えば図示のように、おむつや指または手の幅等を考慮した大きさの開口部３０として形成されている。底面パネル１２には、この開口部３０を覆いかつ、包装袋１０を吊り下げたときにおむつが落下しないように支持するための蓋体３４が設けられている。
【００１４】
この蓋体３４は、開口部３０の形状に合わせて例えば図示のように矩形をなし、その一端部は底面パネル１２に止着され、その反対端近傍には止着手段、例えば粘着剤を塗布した粘着層３５が設けられ、他方底面パネル１２には必要に応じてこれに対応してはく離処理が施されている。包装袋中に収納されたおむつを取り出すときは、この蓋体３４を底面パネル１２から剥がして取出し口となる開口部３０を露出させ、ここからおむつを取り出し、取り出した後に、再び底面パネル１２に接合する。
従って、包装袋１０の吊り下げ中におむつ２０が取出し口３０から自然落下する虞はない。なお、止着手段としては、粘着層に代えてフックとループからなるファスナを、蓋体３４と底面パネル１２に取り付けるものであってもよい。
また、蓋体３４は包装袋のタックシールであってもよい。
【００１５】
次に、取出し口３０の第３の実施形態について説明する。
図３はこの取出し口３０を備え包装袋１０の底面図であり、図３Ａは取出し口からおむつの取り出し中の状態を示し、図３Ｂは取り出し前後の状態を示している。
この実施形態では、底面パネル１２は、二枚のパネル１２ａ、１２ｂとから成り、それぞれのパネルは図中左右の底面パネルを形成し、包装袋中央部で所定長にわたり互いに重なり合い、その重なる側を残して三方を側面パネルに一体化した構成となっている。
【００１６】
この包装袋１０からおむつ２０を取り出すには、図３Ａに示すように、接合していない外側の底パネル（図中右側の底パネル）１２ａと内側の底パネル（同左側）１２ｂの間に手を入れておむつを掴み、そこから引き出すようにする。おむつ２０を引き出した後は図３Ｂに示すように包装袋の底面パネル１２は復元力で元通りの状態となり、取出し口３０は完全に塞がれるから、吊り下げ中におむつ２０が取出し口３０から落下する虞は皆無である。
【００１７】
以上、包装袋１０の底面パネル１２のおむつ２０の取出し口３０について説明したが、紙おむつの取出し口は上記のものに加えて、図４に示すように上面パネル及び側面パネルの適所に設けることができる。
その場合も取出し口の構成は、以上で説明したもののいずれかを採用することができることは勿論である。
おむつの取出し口をこのように複数箇所に設けておくことにより、包装袋をどのように配置しても、おむつを容易に取り出すことができる。従って、使用者は、おむつの置き場所に応じて自由に取り出し口を使い分けることができるから、置き場所に煩わされることもない。
【００１８】
なお、以上の説明では包装袋１０は横型の箱状のものとし、複数の使い捨ておむつ２０を前記長手方向両端側の側面パネル１４と略平行に並べて配置したものとして説明したが、この配置構成に限らず、例えば、図５に示すように、包装体１０を箱形で縦長とし、使い捨ておむつ２０を縦に重ねて収容したものであってもよい。この場合、取り出し口３０は以上で説明したいずれのものも適用できるが、単にパネルを切り開いて取り出し口３０を形成する場合は、図示にように取り出し口３０を挟んで両側にそれぞれ使い捨ておむつを堆積する形態が好ましい。
また、包装袋１０の形状は必ずしも箱状のものに限定されず、内部に収納する物品の形状に応じて、例えば円筒状の形状或いはその他の形状であってもよい。要は、取手で吊り下げたときに取手と反対側、つまり下部に開口を形成できるパネル部分が存在すればよい。
【図面の簡単な説明】
【００１９】
【図１】第１の取出し口を備えた１実施形態に係る包装袋の吊り下げた状態を示す正面図である。
【図２】第２の取出し口を備えた他の実施形態に係る包装袋の吊り下げた状態を示す正面図である。
【図３】他の取出し口を備えた他の実施形態に係る包装袋の底面図である。
【図４】他の実施形態に係る包装袋の吊り下げた状態を示す正面図である。
【図５】使い捨ておむつを堆積した実施形態を示す。
【符号の説明】
【００２０】
１０・・・包装袋、１２・・・底面パネル、１４・・・側面パネル、１６・・・上面パネル、１８・・・取手、２０・・・使い捨ておむつ、３０・・・取出し口、３２・・・ミシン目、３４・・・開口部、３６・・・蓋体。
【図１】
2006256655.tif 000003
【図２】
2006256655.tif 000004
【図３】
2006256655.tif 000005
【図４】
2006256655.tif 000006
【図５】
2006256655.tif 000007